(57)【要約】【課題】磁気ギャップの幅を均一化等することが可能で、且つ薄型化及び小型化を図ることが可能なスピーカー装置を提供する。【解決手段】スピーカー装置はフレームと磁気回路を有する。磁気回路は、相対向する一対の第１のプレートと、その各々の面上に対向配置され、相対向する面が異なる極性を有する一対のマグネットと、その各々の面上に対向配置された一対の第２のプレートを有する。一対の第１及び第２のプレートの間には夫々第１及び第２の磁気ギャップが形成され、磁気回路の外壁はフレームの内側面に接着剤にて取り付けられている。これにより、一対のマグネット等の間において磁力による吸引力が発生しても、スペーサの存在によってフレームが内側に引っ張られて変形してしまうのを防止でき、第１及び第２の磁気ギャップを一定の幅に保持することができる。これに伴って、フレームの厚さを小さくできる為、スピーカー装置の薄型化及び小型化を図ることができる。【選択図】図３
2008092260.tif 000002
【特許請求の範囲】
【請求項１】
フレーム及び磁気回路を備え、
前記磁気回路は、
一定の間隙をおいて対向する一対の第１のプレートと、
前記一対の第１のプレート上に一定の間隙をおいて対向配置され、相互に対向する面が異なる極性を有する一対のマグネットと、
前記フレームに接し、前記一対のマグネット上に一定の間隙をおいて対向配置された一対の第２のプレートと、を有し、
前記一対の第１のプレートの前記間隙には第１の磁気ギャップが形成されていると共に、前記一対の第２のプレートの前記間隙には第２の磁気ギャップが形成され、
前記一対の第１のプレートの前記間隙、前記一対のマグネットの前記間隙、及び前記一対の第２のプレートの前記間隙のうち、少なくとも１つの間隙には、スペーサが介在されていることを特徴とするスピーカー装置。
【請求項２】
前記スペーサは、前記第１の磁気ギャップ、及び／又は第２の磁気ギャップの幅を規定することを特徴とする請求項１に記載のスピーカー装置。
【請求項３】
前記スペーサは、前記一対の第１のプレートの両端側の前記間隙、前記一対のマグネットの両端側の前記間隙、及び前記一対の第２のプレートの両端側の前記間隙のうち、少なくとも１つの前記間隙に対応する位置に介在されていることを特徴とする請求項１に記載のスピーカー装置。
【請求項４】
前記第１の磁気ギャップ内に位置する前記スペーサは、前記一対の第１のプレートの前記間隙と同一の大きさを有し、
前記一対のマグネットの前記間隙に位置する前記スペーサは、当該間隙と同一の大きさを有し、
前記第２の磁気ギャップ内に位置する前記スペーサは、前記一対の第２のプレートの前記間隙と同一の大きさを有することを特徴とする請求項１乃至３のいずれか一項に記載のスピーカー装置。
【請求項５】
前記スペーサは前記フレームと一体的に又は独立に形成されていることを特徴とする請求項１乃至４のいずれか一項に記載のスピーカー装置。
【請求項６】
前記スペーサは非磁性材料により形成されていることを特徴とする請求項１に記載のスピーカー装置。
【請求項７】
一方向に延在する第１の平行部と、前記第１の平行部と平行な方向に延在し、前記第１の平行部と一定の間隔をおいて対向する第２の平行部と、を有するボイスコイルと、
細長形状を有すると共に、中央部に前記ボイスコイルを設置するための凹形状のボイスコイル設置部を備える振動板と、を備え、
前記フレームは細長形状を有し、前記振動板の外周部を支持しており、
前記一対の第１のプレート、前記一対のマグネット、及び前記一対の第２のプレートは各々直方体状又は角型棒状の形状を有すると共に、前記第１の磁気ギャップ及び前記第２の磁気ギャップは直線形状を有し、
前記ボイスコイル設置部は、前記一対の第１のプレートの前記間隙、前記一対のマグネットの前記間隙、及び前記一対の第２のプレートの前記間隙を貫く位置に配置され、
前記第１の平行部は前記第１の磁気ギャップ内に位置していると共に、前記第２の平行部は前記第２の磁気ギャップ内に位置しており、
前記一対の第１のプレート、前記一対のマグネット、及び前記一対の第２のプレートの各外壁は接着剤を介して前記フレームの相対向する内側面に取り付けられていることを特徴とする請求項３に記載のスピーカー装置。
【請求項８】
フレーム及び磁気回路を備え、
前記磁気回路は、
一定の間隙をおいて対向する一対の第１のプレートと、
前記一対の第１のプレート上に一定の間隙をおいて対向配置され、相互に対向する面が異なる極性を有する一対のマグネットと、
前記フレームに接し、前記一対のマグネット上に一定の間隙をおいて対向配置された一対の第２のプレートと、を有し、
前記一対の第１のプレートの前記間隙には第１の磁気ギャップが形成されていると共に、前記一対の第２のプレートの前記間隙には第２の磁気ギャップが形成され、
前記一対の第１のプレートの前記間隙、前記一対のマグネットの前記間隙、及び前記一対の第２のプレートの前記間隙のうち、少なくとも１つの間隙にはスペーサが介在され、  前記フレームは、
前記対向し合う前記マグネットの面に略平行な側面を有し、前記側面は開口部を有することを特徴とするスピーカー装置。
【請求項９】
請求項１乃至８のいずれか一項に記載のスピーカー装置を備えることを特徴とする携帯機器。
【発明の詳細な説明】
【技術分野】
【０００１】
本発明は、携帯機器等に好適に用いることが可能なスピーカー装置の構造に関する。
【背景技術】
【０００２】
従来より、長方形の振動板を有し、かかる振動板の中央に直線状のボイスコイルを配置して構成される、リッフェル型のスピーカが知られている。例えば、特許文献１には、この種の構成を有するスピーカが記載されている。
【０００３】
特許文献１に記載のスピーカは、平行した且つ磁束方向が逆となる磁気ギャップを設けた上下２つの磁気回路と、これら磁気回路に結合した断面コの字状のフレームと、略中央がボイスコイルの上部に結合され外周がフレーム等に結合した振動板と、略中央がボイスコイルの下部に結合し外周がフレーム等に結合したダンパーと、によって構成されている。  かかる構成により、口径及び横幅を狭くした細長構造をとっても、最低共振周波数ｆ０を低くすることができ、耐入力及び低音再生と音圧周波数特性の向上を図ることができるとされている。
【０００４】
【特許文献１】特開平１１−１８７４８４号公報
【発明の開示】
【発明が解決しようとする課題】
【０００５】
ここで、上記の特許文献１に記載されたようなスピーカでは、一対の磁気回路が備える磁石が互いに向かい合うように配置されている。この時、向かい合う磁石の面は互いに異なる極性を示している。当該一対の磁気回路がフレームの内側面に取り付けられる。このため、このようなスピーカでは、その一対の磁気回路の間において、相互に引き合う力（それらの間に生じる磁力による吸引力）が発生してフレームが内側に引っ張られて変形してしまい、磁気ギャップを均一に保持することが困難であるといった課題を有する。
【０００６】
このような課題を解決するためには、一対の磁気回路が取り付けられるフレームの厚さを大きくしてフレーム自体の剛性を高め、一対の磁気回路の間で生じる前記吸引力に耐え得るだけの強度をフレームに持たせる必要がある。しかしながら、このような構造を採用すると、フレームの厚さ増大に伴ってスピーカ自体が大型化してしまうのは避けられない。
【０００７】
特に、近年では、携帯機器等に搭載されるスピーカには薄型化及び小型化が求められており、このような構造を採用することは、そのような要求に逆行してしまう結果となる。  また、スピーカを薄型化及び小型化する場合には、より一層、フレーム等に対して磁気回路を規定の位置に精度良く取り付ける必要が生じる。
【０００８】
一方で、例えば、フレームの側面にプレート又は磁石の側面を合わせることによって、磁気ギャップの幅（前記磁気ギャップの幅とはボイスコイルを通過する磁束の向きにおける、磁気ギャップの長さと定義する。）を規定している。携帯機器等のメーカの要求により、フレームそのものの大きさが薄く又は小さくすることが必要とされ始めている。前記の磁気ギャップの設定方法によって、幅が小さい磁気ギャップを設定することが困難になり始めている。そこで磁気ギャップを規定する有効な方法が求められ始めている。
【０００９】
本発明が解決しようとする課題としては、上記のようなものが例として挙げられる。本発明は、磁気ギャップを均一化すること、磁気ギャップの幅をボイスコイルが延びる方向に沿って均一に設定すること、狭い磁気ギャップを規定すること、等が可能で、且つ薄型化及び小型化を図ることが可能なスピーカー装置及びそれを用いた携帯機器を提供することを課題とする。
【課題を解決するための手段】
【００１０】
請求項１に記載の発明は、スピーカー装置であって、フレーム及び磁気回路を備え、前記磁気回路は、一定の間隙をおいて対向する一対の第１のプレートと、前記一対の第１のプレート上に一定の間隙をおいて対向配置され、相互に対向する面が異なる極性を有する一対のマグネットと、前記フレームに接し、前記一対のマグネット上に一定の間隙をおいて対向配置された一対の第２のプレートと、を有し、前記一対の第１のプレートの前記間隙には第１の磁気ギャップが形成されていると共に、前記一対の第２のプレートの前記間隙には第２の磁気ギャップが形成され、前記一対の第１のプレートの前記間隙、前記一対のマグネットの前記間隙、及び前記一対の第２のプレートの前記間隙のうち、少なくとも１つの間隙には、スペーサが介在されていることを特徴とする。
【発明を実施するための最良の形態】
【００１１】
本発明の１つの実施形態では、スピーカー装置は、フレーム及び磁気回路を備え、前記磁気回路は、一定の間隙をおいて対向する一対の第１のプレートと、前記一対の第１のプレート上に一定の間隙をおいて対向配置され、相互に対向する面が異なる極性を有する一対のマグネットと、前記フレームに接し、前記一対のマグネット上に一定の間隙をおいて対向配置された一対の第２のプレートと、を有し、前記一対の第１のプレートの前記間隙には第１の磁気ギャップが形成されていると共に、前記一対の第２のプレートの前記間隙には第２の磁気ギャップが形成され、前記一対の第１のプレートの前記間隙、前記一対のマグネットの前記間隙、及び前記一対の第２のプレートの前記間隙のうち、少なくとも１つの間隙には、スペーサが介在されている。
【００１２】
上記のスピーカー装置は、フレーム及び磁気回路を備える。磁気回路は、一定の間隙をおいて対向する一対の第１のプレートと、一対の第１のプレート上に一定の間隙をおいて対向配置され、相互に対向する面が異なる極性（Ｓ極に対してＮ極、またはその逆）を有する一対のマグネットと、フレームに接し、一対のマグネット上に一定の間隙をおいて対向配置された一対の第２のプレートと、を有する。そして、一対の第１のプレートの間隙には第１の磁気ギャップが形成されていると共に、一対の第２のプレートの間隙には第２の磁気ギャップが形成されている。
【００１３】
特に、一対の第１のプレートの間隙、一対のマグネットの間隙、及び一対の第２のプレートの間隙のうち、少なくとも１つの間隙には、スペーサが介在されている。言い換えれば、スペーサは、一対の第１のプレート、一対のマグネット及び一対の第２のプレートのうち、少なくとも１つの部材によって挟み込まれ又は挟持されている。
【００１４】
好適な例では、前記スペーサは、前記第１の磁気ギャップ、及び／又は第２の磁気ギャップの幅を規定する機能を有する。また、前記第１の磁気ギャップ内に位置する前記スペーサは、前記一対の第１のプレートの前記間隙と同一の大きさ（厚さ）を有し、前記一対のマグネットの前記間隙に位置する前記スペーサは、当該間隙と同一の大きさ（厚さ）を有し、前記第２の磁気ギャップ内に位置する前記スペーサは、前記一対の第２のプレートの前記間隙と同一の大きさ（厚さ）を有するのが好ましい。
【００１５】
これにより、一方のマグネットと他方のマグネットの間において、また、一方の第１のプレートと他方の第１のプレートの間において、また、一方の第２のプレートと他方の第２のプレートの間において、相互に引き合う力（それらの間に生じる磁力による吸引力）が発生しても、その少なくとも１つの部材の間隙に介在されたスペーサの存在によって、フレームが内側（磁気回路の中心軸側）に引っ張られて変形してしまうのを防止できる。
【００１６】
よって、第１の磁気ギャップを一定の幅に、また、第２の磁気ギャップを一定の幅に夫々保持することができる。つまり、一対の第１のプレートの間隙、一対の第２のプレートの間隙や一対のマグネットの間隙をスペーサの厚さで規定できるので、第１の磁気ギャップの幅、第２の磁気ギャップの幅を狭くする必要があっても、スペーサの厚さを調整することによって、磁気ギャップの幅を規定することが可能になる。なお、第１の磁気ギャップと第２の磁気ギャップとの相対的な間隔は同一であっても非同一であっても構わない。
【００１７】
また、上記のように、スペーサによって第１の磁気ギャップ及び第２の磁気ギャップが一定の幅に設定されるため、スピーカー装置の組立時に、第１の磁気ギャップ及び第２の磁気ギャップを一定の幅に設定する為の治具を用いる必要がなくなり、その分、スピーカー装置の組立工数の削減を図ることができる。
【００１８】
また、かかる構成を採用するのに伴って、前記吸引力に耐えうる強度をフレームに持たせる必要がなくなるため、フレームの厚さを大きくする必要がなくなり、言い換えれば、フレームの厚さを小さくできるため、スピーカー装置の薄型化及び小型化を図ることができる。これにより、当該スピーカー装置を、携帯機器等に搭載されるマイクロスピーカーとして好適に用いることが可能となる。
【００１９】
また、このような構成を薄型及び小型のスピーカー装置に適用すれば、フレームの規定の位置に対して磁気回路を精度良く取り付けることが可能となり、音質の向上に寄与し得る。
【００２０】
好適な例では、前記スペーサは前記フレームと一体的に又は独立に形成されているのが好ましい。また、前記スペーサは、例えば樹脂材料などの非磁性材料により形成されているのが好ましい。これにより、磁気回路に生じる磁束がスペーサ側へ漏洩し難くなり、第１及び第２の磁気ギャップ内に生じる磁束が低下するのを防止できる。
【００２１】
上記のスピーカー装置の一つの態様では、前記スペーサは、前記一対の第１のプレートの両端側の前記間隙、前記一対のマグネットの両端側の前記間隙、及び前記一対の第２のプレートの両端側の前記間隙のうち、少なくとも１つの前記間隙に対応する位置に介在されている。これにより、前記少なくとも１つの両端側より内側の第１及び第２の磁気ギャップ中にボイスコイルや、ボイスコイルを支持する振動板を配置することが可能となる。
【００２２】
上記のスピーカー装置の他の態様では、一方向に延在する第１の平行部と、前記第１の平行部と平行な方向に延在し、前記第１の平行部と一定の間隔をおいて対向する第２の平行部と、を有するボイスコイルと、細長形状を有すると共に、中央位置に前記ボイスコイルを設置するための凹形状のボイスコイル設置部を備える振動板と、を備え、前記フレームは細長形状を有し、前記振動板の外周部を支持しており、前記一対の第１のプレート、前記一対のマグネット、及び前記一対の第２のプレートは各々直方体状又は角型棒状の形状を有すると共に、前記第１の磁気ギャップ及び前記第２の磁気ギャップは直線形状を有し、前記ボイスコイル設置部は、前記一対の第１のプレートの前記間隙、前記一対のマグネットの前記間隙、及び前記一対の第２のプレートの前記間隙を貫く位置に配置され、前記第１の平行部は前記第１の磁気ギャップ内に位置していると共に、前記第２の平行部は前記第２の磁気ギャップ内に位置しており、前記一対の第１のプレート、前記一対のマグネット、及び前記一対の第２のプレートの各外壁は接着剤を介して前記フレームの相対向する内側面に取り付けられている。これにより、２つの磁気ギャップを有する、薄型、小型及び細長形状のスピーカー装置を構成することができる。
【００２３】
上記のスピーカー装置の更に他の態様では、フレーム及び磁気回路を備え、前記磁気回路は、一定の間隙をおいて対向する一対の第１のプレートと、前記一対の第１のプレート上に一定の間隙をおいて対向配置され、相互に対向する面が異なる極性を有する一対のマグネットと、前記フレームに接し、前記一対のマグネット上に一定の間隙をおいて対向配置された一対の第２のプレートと、を有し、前記一対の第１のプレートの前記間隙には第１の磁気ギャップが形成されていると共に、前記一対の第２のプレートの前記間隙には第２の磁気ギャップが形成され、前記一対の第１のプレートの前記間隙、前記一対のマグネットの前記間隙、及び前記一対の第２のプレートの前記間隙のうち、少なくとも１つの間隙にはスペーサが介在され、前記フレームは、前記対向し合う前記マグネットの面に略平行な側面を有し、前記側面は開口部を有する。
【００２４】
この態様では、特に、フレームは、前記対向し合うマグネットの面に略平行な側面を有し、当該側面は開口部を有するので、フレーム内へマグネットやプレートを容易に配置できる等のスピーカー装置の組み立てが容易にできる。また前記フレームの側面の厚みを考慮する必要がなくなるので、フレームの厚みを小さくできること、スピーカー装置を更に薄型、小型化及び細長くすることができること、マグネットの大きさをより大きくできることが挙げられる。
【００２５】
本発明の他の実施形態では、上記のスピーカー装置を備える携帯機器（例えば、携帯電話機など）を構成することができる。これにより、携帯機器の薄型化及び小型化に寄与し得る。
【実施例】
【００２６】
以下、図面を参照して本発明の好適な各種の実施例について説明する。
【００２７】
[第１実施例]
（スピーカー装置の構成）
図１及び図２を参照して、本発明の第１実施例に係るスピーカー装置１００の構成について説明する。
【００２８】
図１（ａ）は、本発明の第１実施例に係るスピーカー装置１００を音の放射方向から観察したときの正面図を示す。図１（ｂ）は、スピーカー装置１００の背面図を示す。図１（ｃ）は、スピーカー装置１００の長手方向に対応する側面図を示す。図２は、図１（ｂ）におけるスピーカー装置１００の中心軸Ｌ１を通る切断線Ａ−Ａ’に沿った断面図を示す。
【００２９】
スピーカー装置１００は、携帯電話などの携帯機器用のスピーカー装置として好適に用いられ、主として、一対の第１のプレート１ａ及び１ｂと、一対のマグネット２ａ及び２ｂと、一対の第２のプレート３ａ及び３ｂと、を有する内磁型の磁気回路３０と、フレーム４と、振動板５と、ボイスコイル６と、を有する振動系部材３１と、を備えて構成される。なお、以下では、各マグネット、並びに各第１又は第２のプレートを区別する場合にはそれぞれマグネット２ａ又は第１のプレート１ａなどと表記すると共に、それらを特に区別しない場合には、マグネット２又は第１のプレート１と表記する。
【００３０】
（磁気回路の構成）
磁気回路３０の構成は次の通りである。
【００３１】
一対の第１のプレート１ａ及び１ｂの各々は直方体状及び角型棒状の形状を有し、その各々は、一定の間隙ｄ３をおいて対向した状態で配置されている。そして、一対の第１のプレート１ａ及び１ｂの間には、一定の間隙ｄ３を有する第１の磁気ギャップ７０ａが形成されている。第１の磁気ギャップ７０ａには、後述する一対のマグネット２ａ及び２ｂの磁束が集中している。第１の磁気ギャップ７０ａ内に生じる磁束の方向は、例えば矢印Ｙ２方向に設定されている。
【００３２】
一対のマグネット２ａ及び２ｂの各々は直方体状及び角型棒状の形状を有し、その各々は、一定の間隙ｄ４（＞ｄ３）をおいて対向した状態で、一対の第１のプレート１ａ及び１ｂの各々の上面に接着剤を介して取り付けられている。なお、本発明では、一対のマグネット２ａ及び２ｂの間隙がｄ４（＞ｄ３）であるとことは必須ではない。ここで、一方のマグネット２ａの内側面と、それに対向する、他方のマグネット２ｂの内側面との相対的な極性は逆の関係に設定されている。即ち、図示を省略するが、一方のマグネット２ａの内側面の極性をＳ極（又はＮ極）とした場合、それに対向する、他方のマグネット２ｂの内側面の極性はＮ極（又はＳ極）に設定されている。
【００３３】
一対の第２のプレート３ａ及び３ｂの各々は直方体状及び角型棒状の形状を有し、その各々は、一定の間隙ｄ３をおいて対向した状態で、一対のマグネット２ａ及び２ｂの各々の上面に接着剤を介して取り付けられている。そして、一対の第２のプレート３ａ及び３ｂの間には、一定の間隙ｄ３を有する第２の磁気ギャップ７０ｂが形成されている。第２の磁気ギャップ７０ｂには、一対のマグネット２ａ及び２ｂの磁束が集中している。第２の磁気ギャップ７０ｂ内に生じる磁束の方向は、第１の磁気ギャップ７０ａ内に生じる磁束の方向と相対的に逆向きの矢印Ｙ３方向に設定されていると共に、第２の磁気ギャップ７０ｂと、第１の磁気ギャップ７０ａとに生じる磁力の大きさは相対的に同一の大きさに設定されている。
【００３４】
（振動系部材の構成）
振動系部材３１の構成は次の通りである。
【００３５】
フレーム４は、環状の形状を有する上面と、前記上面に連なる位置に側面を有し、細長形状に形成されている。なお、フレーム４は、成形加工が容易な樹脂材料にて形成されているのが好ましい。また、フレーム４の長手方向の両端側の側面４ｓには、その側面４ｓに対向する、一対の第１のプレート１ａ及び１ｂ、一対のマグネット２ａ及び２ｂ、並びに、一対の第２のプレート３ａ及び３ｂの各外壁（外面）が接着剤を介して取り付けられ、フレーム４の側面４ｓはそれらの部材を夫々支持する役割を有する。
【００３６】
振動板５は、長円状又は楕円状の平面形状を有する。また、振動板５は、凹状の形状を有し、その短手方向の中央位置に配置され、且つその長手方向に延在するように設けられたボイスコイル設置部５１と、そのボイスコイル設置部５１の外側に設けられ、半円状の断面形状を有し、音波を放射する役割を担う放音部５２と、その放音部５２の外側に設けられ、フレーム４の上端部側に取り付けられる取付部５３と、を備える。
【００３７】
ボイスコイル設置部５１は、ボイスコイル６を支持するボイスコイル支持部５１ａと、そのボイスコイル支持部５１ａと連なる位置に且つ繋がる位置に設けられたふくらみ部分５１ｂと、を備える。
【００３８】
図２に示すように、振動板５をフレーム４に取り付けた状態では、ボイスコイル設置部５１は、磁束の延在方向となる矢印Ｙ２方向及び矢印Ｙ３方向と、略直交する方向と平行な方向に延在してなる。ボイスコイル設置部５１の深さは、一対の第１のプレート１ａ及び１ｂの背面側付近からフレーム４の上端部付近までの距離と略同一になっている。そして、ボイスコイル設置部５１は、磁気回路３０内の略中央位置に配置される。これにより、スピーカー装置１００の薄型化及びスリム化が図られている。
【００３９】
ボイスコイル支持部５１ａは、細長形状及び袋状又はＵ字状の断面形状を有し、その延在方向と略直交する方向、即ち振動板５の短手方向に一定幅の間隙を有し、その間隙は直方体状の空間を形成している。かかる間隙の幅（間隙の幅とは、ボイスコイルを通過する磁束の向きにおける、間隙の長さである。）は、磁束密度を高めるため、できる限り狭い値に設定されているのが好ましく、例えば約０.２ｍｍ程度に設定される。図２に示すように、ボイスコイル６は、ボイスコイル支持部５１ａの内側面に挟持された状態で固定され、ボイスコイル支持部５１ａは主としてボイスコイル６を支持する役割を果たす。
【００４０】
ふくらみ部分５１ｂは、ボイスコイル支持部５１ａの間隙よりも大きな間隙を有し、そのふくらみ部分５１ｂの間隙は円柱状の空間を形成している。ふくらみ部分５１ｂは、振動板５の長手方向、即ちボイスコイル設置部５１の延在方向に一定の間隔をおいて設けられている。
【００４１】
ボイスコイル６は、１つのプラス/マイナスのリード線（図示略）を有し、長円状に且つ環状（リング状）の平面形状を形成するように巻回されてなり、一方向に延在する第１の平行部６ａと、その第１の平行部６ａと一定の間隙６ｄを置いて対向配置され、第１の平行部６ａと平行な方向に延在する第２の平行部６ｂと、第１の平行部６ａの各端部と、対応する第２の平行部６ｂの各端部とを繋ぐ、図示しない連結部と、を有し、振動板５のボイスコイル設置部５１内に配置される。第１の平行部６ａは、第１の磁気ギャップ７０ａ内に位置していると共に、第２の平行部６ｂは、第２の磁気ギャップ７０ｂ内に位置している。ここで、ボイスコイル６のプラス側のリード線はＬ（又はＲ）チャンネル信号の入力配線であり、マイナス側のリード線はグランド（ＧＮＤ：接地）信号の入力配線である。  各リード線は、図示しないアンプ側の各出力配線に電気的に接続されている。このため、ボイスコイル６には、その各リード線を通じてアンプ側から信号及び電力（以下、単に「音声電流」とも称する）が夫々入力される。なお、かかる構成を有するボイスコイル６では音声電流が周回するように流れるため、第１の平行部６ａに流れる音声電流の向きと、第２の平行部６ｂに流れる音声電流の向きとは相対的に逆になる。
【００４２】
以上に述べたスピーカー装置１００において、アンプ側から出力された音声電流は、ボイスコイル６の各リード線を通じて、当該ボイスコイル６へ入力される。これにより、第１の磁気ギャップ７０ａ内及び第２の磁気ギャップ７０ｂ内で、それぞれボイスコイル６の第１の平行部６ａ及び第２の平行部６ｂに駆動力が発生する。ここで、第１の磁気ギャップ７０ａ内に生じる磁力の大きさと、第２の磁気ギャップ７０ｂ内に生じる磁力の大きさとは、上述したように同一の大きさに設定されていると共に、第１の平行部６ａと第２の平行部６ｂとには同一の大きさの音声電流が相対的に逆方向に流れる。このため、第１の平行部６ａと第２の平行部６ｂとはフレミングの左手の法則に基づき同一の駆動力で且つ同一の方向に振動する。具体的には、第１の平行部６ａは一対の第１のプレート１ａ及び１ｂの厚さ方向の中心を通る直線Ｌ２を基準に、また、第２の平行部６ｂは一対の第２のプレート３ａ及び３ｂの厚さ方向の中心を通る直線Ｌ３を基準に、それぞれスピーカー装置１００の中心軸Ｌ１方向に同一の駆動力で且つ同一の方向に振動する。こうして、スピーカー装置１００は、振動板５の放音部５２を通じて矢印Ｙ１方向に音波を放射する。
【００４３】
（フレームの構成）
次に、図１（ｂ）及び図３を参照して、本発明の第１実施例に係るフレーム４の構成について説明する。
【００４４】
図３は、図１（ｂ）における切断線Ｂ−Ｂ’に沿ったスピーカー装置１００の断面図であり、特に、フレーム４の要素であるスペーサ４ａを通る位置で切断した断面図である。
【００４５】
フレーム４の基本的な構成は上述した通りであるが、第１実施例では、特に、フレーム４は、振動板５のボイスコイル設置部５１の両端側及び磁気回路３０の長手方向の両端側の夫々に対応する位置であって、一対の第１のプレート１ａ及び１ｂの間隙、並びに、一対のマグネット２ａ及び２ｂの間隙、並びに、一対の第２のプレート３ａ及び３ｂの間隙を振動板５の振動方向（中心軸Ｌ１方向）に夫々貫くように介在され、さらに一対の第１のプレート１ａ及び１ｂ並びに一対の第２のプレート３ａ及び３ｂによって挟み込まれ且つ挟持されてなり、第１の磁気ギャップ７０ａ及び第２の磁気ギャップ７０ｂを一定の間隙ｄ３に規定する、厚さｄ３を有するスペーサ４ａを備えている点に特徴を有する。特に、フレーム４の短手方向に対応する、第１のプレート１ａ及び１ｂ、マグネット２ａ及び２ｂ、第２のプレート３ａ及び３ｂに対して接するような、フレーム４の側面は形成されてなく、その代わりに開口部４ｈが形成されている。
【００４６】
ここで、一対のマグネット２ａ及び２ｂ、並びに、一対の第１のプレート１ａ及び１ｂ、並びに、一対の第２のプレート３ａ及び３ｂの夫々について着目すると、一方のマグネット２ａと他方のマグネット２ｂ、並びに、一方の第１のプレート１ａと他方の第１のプレート１ｂ、並びに、一方の第２のプレート３ａと他方の第２のプレート３ｂは、それぞれ、相互に異なる極性を有する面同士が向かい合わされた状態で配置されている。したがって、図３において、もし、スピーカー装置１００にスペーサ４ａが設けられていない場合を想定すると、一方のマグネット２ａと他方のマグネット２ｂの間において、また、一方の第１のプレート１ａと他方の第１のプレート１ｂの間において、また、一方の第２のプレート３ａと他方の第２のプレート３ｂの間において、相互に引き合う力（それらの間に生じる磁力による吸引力）が生じてフレーム４が内側（スピーカー装置１００の中心軸Ｌ１側）に引っ張られて変形してしまい、第１の磁気ギャップ７０ａ及び第２の磁気ギャップ７０ｂの間隙ｄ３を均一に保持することが困難であるといった課題を有する。また、このような構成を採用すると、かかる課題の他にも、上述したような課題も生じ得る。
【００４７】
そこで、このような課題を解決するため、第１実施例では、スピーカー装置１００において、上記した所定位置に、第１の磁気ギャップ７０ａ及び第２の磁気ギャップ７０ｂの間隙ｄ３と同一の厚さを有するスペーサ４ａが介在され且つ挟み込まれている。つまり、スペーサ４ａは、第１の磁気ギャップ７０ａ、及び／又は第２の磁気ギャップ７０ｂの幅を規定する機能を有する。これにより、一方のマグネット２ａと他方のマグネット２ｂの間において、また、一方の第１のプレート１ａと他方の第１のプレート１ｂの間において、また、一方の第２のプレート３ａと他方の第２のプレート３ｂの間において、相互に引き合う力（それらの間に生じる磁力による吸引力）が発生しても、それらの間隙に介在されたスペーサ４ａの存在によって、フレーム４が内側（スピーカー装置１００の中心軸Ｌ１側）に引っ張られて変形してしまうのを防止できると共に、フレーム４と磁気回路３０との間で接着剤剥がれが生じて磁気回路３０がフレーム４から離脱してしまうのを防止できる。
【００４８】
よって、第１の磁気ギャップ７０ａ及び第２の磁気ギャップ７０ｂを一定の幅ｄ３に保持することができる。つまり、一対の第１のプレート１の間隙、一対の第２のプレート３の間隙や一対のマグネット２の間隙をスペーサ４ａの厚さで規定できるので、第１の磁気ギャップ７０ａの幅、第２の磁気ギャップ７０ｂの幅を狭くする必要があっても、スペーサ４ａの厚さを調整することによって、磁気ギャップの幅を規定することが可能になる。
【００４９】
また、対向し合うマグネット２の面に対し略平行なフレーム４の側面に、開口部４ｈを形成することで、フレーム４内へマグネット２や第１のプレート１や第２のプレート３を容易に配置できる等のスピーカー装置１００の組み立てを容易にできる。また、フレーム４の側面の厚みを考慮する必要がなくなるので、フレーム４の厚みを小さくできること、スピーカー装置１００を更に薄型、小型化及び細長くすることができること、マグネット２の大きさをより大きくできることが挙げられる。
【００５０】
また、上記のように、スペーサ４ａの厚さｄ３によって第１の磁気ギャップ７０ａ及び第２の磁気ギャップ７０ｂが一定の間隙ｄ３に設定されるため、スピーカー装置１００の組立時に、第１の磁気ギャップ７０ａ及び第２の磁気ギャップ７０ｂを一定の間隙ｄ３に設定する為の治具を用いる必要がなくなり、その分、スピーカー装置１００の組立工数の削減を図ることができる。
【００５１】
また、かかる構成を採用するのに伴って、前記吸引力に耐えうる強度をフレーム４に持たせる必要がなくなるため、フレーム４の厚さを大きくする必要がなくなり、言い換えれば、フレーム４の厚さを小さくできるため、スピーカー装置１００の厚さｄ１及びその短手方向の幅ｄ２を夫々小さくすることができ、当該スピーカー装置１００の薄型化及び小型化を図ることができる。これにより、当該スピーカー装置１００を、携帯機器等に搭載されるマイクロスピーカーとして好適に用いることが可能となる。
【００５２】
また、このような構成を薄型及び小型のスピーカー装置に適用すれば、フレーム４の規定の位置に対して磁気回路３０を精度良く取り付けることが可能となり、音質の向上に寄与し得る。
【００５３】
また、スペーサ４ａは、例えば樹脂材料などの非磁性材料により形成されているのが好ましい。これにより、磁気回路３０に生じる磁束がスペーサ４ａ側へ漏洩し難くなり、第１の磁気ギャップ７０ａ内及び第２の磁気ギャップ７０ｂ内に生じる磁束が低下するのを防止できる。
【００５４】
[第２実施例]
次に、本発明の第２実施例に係るスピーカー装置２００の構成について説明する。なお、以下では、第１実施例と同一の要素については同一の符号を付し、その説明は省略又は簡略化する。
【００５５】
図４（ａ）は、図３に対応する、第２実施例に係るスピーカー装置２００の断面図である。
【００５６】
第２実施例は、フレーム４に設けられるスペーサ４ａの設定位置及び形状などが第１実施例と異なっている。
【００５７】
即ち、第２実施例では、第１の磁気ギャップ７０ａ及び第２の磁気ギャップ７０ｂを一定の間隙ｄ３に規定するスペーサ４ａは、一対のマグネット２ａ及び２ｂの間隙ｄ４（＞ｄ３）と同一の厚さを有し、振動板５のボイスコイル設置部５１の両端側及び磁気回路３０の長手方向の両端側の夫々に対応する位置であって、一対のマグネット２ａ及び２ｂの間隙に対応する位置にのみ介在され且つ挟み込まれている。これにより、上記した第１実施例と略同様にスペーサ４ａの作用に基づき、フレーム４の変形防止、フレーム４からの磁気回路３０の離脱防止等が図れ、第１の磁気ギャップ７０ａ及び第２の磁気ギャップ７０ｂを一定の間隙ｄ３に保持することができる。なお、その他、第２実施例では、上記した第１実施例と同様の作用効果を得ることができる。
【００５８】
[第３実施例]
次に、本発明の第３実施例に係るスピーカー装置３００の構成について説明する。なお、以下では、第１実施例と同一の要素については同一の符号を付し、その説明は省略又は簡略化する。
【００５９】
図４（ｂ）は、図３に対応する、第３実施例に係るスピーカー装置３００の断面図である。
【００６０】
第３実施例は、フレーム４に設けられるスペーサ４ａの設定位置及び形状などが第１実施例と異なっている。
【００６１】
即ち、第３実施例では、第１の磁気ギャップ７０ａ及び第２の磁気ギャップ７０ｂを一定の間隙ｄ３に規定するスペーサ４ａは、断面十字状の形状を有し、振動板５のボイスコイル設置部５１の両端側及び磁気回路３０の長手方向の両端側の夫々に対応する位置であって、一対の第１のプレート１ａ及び１ｂの間隙、並びに、一対のマグネット２ａ及び２ｂの間隙、並びに、一対の第２のプレート３ａ及び３ｂの間隙を振動板５の振動方向（中心軸Ｌ１方向）に夫々貫くように介在され、さらに一対の第１のプレート１ａ及び１ｂ、並びに、一対のマグネット２ａ及び２ｂ、並びに、一対の第２のプレート３ａ及び３ｂによって挟み込まれている。加えて、第１の磁気ギャップ７０ａ及び第２の磁気ギャップ７０ｂの各々に位置するスペーサ４ａの部分の厚さは、第１の磁気ギャップ７０ａの間隙ｄ３と同一の値に規定されていると共に、一対のマグネット２ａ及び２ｂの間に位置するスペーサ４ａの他の部分の厚さは、当該一対のマグネット２ａ及び２ｂの間の間隙ｄ４（＞ｄ３）に規定されている。これにより、上記した第１実施例と略同様にスペーサ４ａの作用に基づき、フレーム４の変形防止等を図ることができると共に、一対のマグネット２ａ及び２ｂに対する、一対の第１のプレート１ａ及び１ｂ、並びに、一対の第２のプレート３ａ及び３ｂの位置ずれ防止が図れ、上記した第１実施例と同様の作用効果を得ることができる。なお、その他、第３実施例では、上記した第１実施例と同様の作用効果を得ることができる。
【００６２】
[変形例１]
次に、図５を参照して、本発明の変形例１に係るスピーカー装置４００の構成について説明する。なお、以下では、第１実施例と同一の要素については同一の符号を付し、その説明は省略又は簡略化する。
【００６３】
図５は、図３に対応する、変形例１に係るスピーカー装置４００の断面図である。
【００６４】
変形例１では、磁気回路３０ｘにおける一対のマグネット２ａ及び２ｂの下側に設けられる第１のプレートの設定数及び形状、並びに、スペーサ４ａの設定位置などが第１実施例と異なっている。また、変形例１では、一対の第２のプレート２ａ及び２ｂの間にのみ１つの磁気ギャップ７０ｘを有する点が第１実施例と異なっている。つまり、変形例１は、１つの磁気ギャップ７０ｘを有するスピーカー装置４００に本発明を適用したものである。
【００６５】
具体的には、変形例１では、上記第１実施例の構成を基本構成として適用し、さらに一対の第１のプレート１ａ及び１ｂを設ける代わりに、平板状又は直方体状の形状をなす、１つの第１のプレート１ｘを一対のマグネット２ａ及び２ｂの底面側に有する。そして、スペーサ４ａは、１つの磁気ギャップ７０ｘの間隙ｄ３と同一の厚さを有し、振動板５のボイスコイル設置部５１の両端側及び磁気回路３０の長手方向の両端側の夫々に対応する位置であって、一対のマグネット２ａ及び２ｂの間隙、並びに、一対の第２のプレート３ａ及び３ｂの間隙を振動板５の振動方向（中心軸Ｌ１方向）に夫々貫くように介在され、さらに一対の第２のプレート３ａ及び３ｂによって挟み込まれている。これにより、上記した第１実施例と略同様にスペーサ４ａの作用に基づき、フレーム４の変形防止等を図ることができ、上記した第１実施例と同様の作用効果を得ることができる。なお、その他、変形例１では、上記した第１実施例と同様の作用効果を得ることができる。
【００６６】
[変形例２]
次に、図６及び図７（ａ）を参照して、本発明の変形例２に係るスピーカー装置５００の構成について説明する。なお、以下では、第１実施例と同一の要素については同一の符号を付し、その説明は省略又は簡略化する。
【００６７】
図６（ａ）は、図１（ｂ）に対応する、変形例２に係るスピーカー装置５００の背面図を示す。図６（ｂ）は、第１の磁気ギャップ７０ａ及び第２の磁気ギャップ７０ｂを一定の間隙ｄ３に規定する補強部材７の斜視図を示す。図７（ａ）は、図６（ａ）の切断線Ｃ−Ｃ’に沿った変形例２に係るスピーカー装置５００の断面図を示す。
【００６８】
変形例２では、第１実施例に係る磁気回路３０を適用し、さらに、スペーサ４ａを設ける代わりに、一対の第１のプレート１ａ及び１ｂの底面側に、第１の磁気ギャップ７０ａ及び第２の磁気ギャップ７０ｂを一定の間隙ｄ３に規定する補強部材７を設けている。例えば、補強部材７は、一対の第１のプレート１ａ及び１ｂの底面に接着剤を介して取り付けられている。
【００６９】
ここで、補強部材７は、平板状若しくは直方体状の形状を有すると共に、ボイスコイル設置部５１の平面形状と同様の形状を有する開口７ａを備える。開口７ａは、補強部材７において、ボイスコイル設置部５１に対応する位置に且つ第１の磁気ギャップ７０ａ及び第２の磁気ギャップ７０ｂの夫々に対応する位置に設けられている。ここで、補強部材７は、後述する理由から非磁性体にて形成されているのが好ましい。
【００７０】
以上の構成を有する変形例２では、一方のマグネット２ａと他方のマグネット２ｂの間において、また、一方の第１のプレート１ａと他方の第１のプレート１ｂの間において、また、一方の第２のプレート３ａと他方の第２のプレート３ｂの間において、それぞれ、相互に引き合う力（それらの間に生じる磁力による吸引力）が発生しても、磁気回路３０の下面側に取り付けられた補強部材７の存在によって、フレーム４が内側（スピーカー装置１００の中心軸Ｌ１側）に引っ張られて変形してしまうのを防止できると共に、フレーム４と磁気回路３０との間で接着剤剥がれが生じて磁気回路３０がフレーム４から離脱してしまうのを防止できる。よって、第１の磁気ギャップ７０ａ及び第２の磁気ギャップ７０ｂを一定の間隙ｄ３に保持することができる。
【００７１】
また、変形例２では、補強部材７が、一対の第１のプレート１ａ及び１ｂの底面に接着剤を介して取り付けられた構造を有する為、フレーム４自体に前記吸引力に耐え得るだけの強度を持たせる必要がない。そのため、フレーム４の厚さを小さくできるため、スピーカー装置５００の薄型化及び小型化を図ることができる。これにより、当該スピーカー装置５００を、携帯機器等に搭載されるマイクロスピーカーとして好適に用いることが可能となる。
【００７２】
また、変形例２に係るスピーカー装置５００では、補強部材７において、第１の磁気ギャップ７０ａ等に対応する位置に開口７ａを設けている。このため、振動板５と、フレーム４及び磁気回路３０との間に形成される空間が密閉されないため、振動板５が振動し易くなりコンプライアンスを低減できる。また、スピーカー装置５００の組立後に、事後的に、スピーカー装置５００の背面側から当該開口７ａを通じて、例えば、第１の磁気ギャップ７０ａ内に磁性流体を注入することが可能になる。これにより、第１の磁気ギャップ７０ａ内に位置する振動板５の部分を、当該第１の磁気ギャップ７０ａ内の規定位置に弾性的に保持することが可能となり、ローリング防止などを図ることができる。
【００７３】
また、補強部材７を非磁性体にて形成することにより、磁気回路３０内に生じる磁束が補強部材７側へ漏洩し難くなり、第１の磁気ギャップ７０ａ内及び第２の磁気ギャップ７０ｂ内の各々に生じる磁束密度の低下防止が図れ、さらにフレーム４の補強部材として磁気回路３０を安定的に支持することが可能となる。なお、その他、変形例２では、上記した第１実施例と同様の作用効果を得ることができる。
【００７４】
[変形例３]
次に、図７（ｂ）を参照して、本発明の変形例３に係るスピーカー装置６００の構成について説明する。なお、以下では、変形例２と同一の要素については同一の符号を付し、その説明は省略又は簡略化する。
【００７５】
図７（ｂ）は、図７（ａ）に対応する、変形例３に係るスピーカー装置６００の断面図である。
【００７６】
変形例３と変形例２とを比較すると、その両者は、スピーカー装置６００における、補強部材７の設定位置が異なっており、それ以外は同様である。
【００７７】
即ち、変形例３では、補強部材７が、一対の第２のプレート３ａ及び３ｂの上面（天面）に例えば接着剤を介して取り付けられている。これにより、上記した変形例２と略同様に補強部材７の作用に基づき、フレーム４の変形防止、フレーム４からの磁気回路３０の離脱防止等が図れ、第１の磁気ギャップ７０ａ及び第２の磁気ギャップ７０ｂを一定の間隙ｄ３に保持することができる。その他、変形例３では、変形例２と同様の作用効果を得ることができる。
【００７８】
[その他の変形例]
上記の各種の実施例及び変形例では、スペーサ４ａはフレーム４と一体的に形成されていたが、これに限らず、本発明では、スペーサ４ａはフレーム４と別途独立の部材にて形成されていても構わない。
【００７９】
また、本発明では、上記の各種の実施例及び変形例並びにその他の構成において、フレーム４は、図８、図９に示されるような、対向し合うマグネット４の面に対し平行な側面４ｓを有していても構わない。ここで、図８（ａ）は、図１（ａ）に対応する、その他の変形例に係るスピーカー装置７００の正面図である。図８（ｂ）は、図１（ｂ）に対応する、その他の変形例に係るスピーカー装置７００の背面図である。図８（ｃ）は、図１（ｃ）に対応する、その他の変形例に係るスピーカー装置７００の側面図である。図９は、図８（ｂ）におけるスピーカー装置７００の中心軸Ｌ１を通る切断線Ｄ−Ｄ’に沿った断面図を示す。
【００８０】
また、このスピーカー装置７００の例では、第１のプレート１、マグネット２及び第２のプレート３の外壁（外面）は同一面上にあり、接着剤を介してフレーム４の相対向する側面（内側面）４ｓに挟持され取り付けられている。この構成によれば、フレーム４の背面側の開口から矢印Ｙ１方向に磁気回路３０を挿入することが可能となり、フレーム４に対して、当該磁気回路３０を取り付け易くなるという利点がある。
【００８１】
その他、本発明では、その趣旨を逸脱しない範囲で種々の変形をすることが可能であることは言うまでもない。
【００８２】
[携帯電話機への適用例]
次に、本発明の第１実施例に係るスピーカー装置１００（又はスピーカー装置２００乃至７００のいずれか、以下同様）等を、携帯電話機内の受信部及着信部に適用した例について説明する。
【００８３】
図１０は、この携帯電話機の構成を示す概略平面図である。同図に例示の携帯電話機８００は、ケース８００ｇの表側に設けられた、複数の操作ボタン８００ａ、表示部８００ｂ、受話口８００ｃ及び送話口８００ｄと、ケース８００ｇの裏側に設けられ、着信アラーム音を鳴らす機能を有する着信部８００ｅと、ケース８００ｇの一側面に設けられた送受信アンテナ８００ｆと、を備えて構成される。ここで、受信部８００ｃａは、受話口８００ｃの位置に対応するケース８００ｇ内に設けられている。以上の構成を有する携帯電話機８００では、スピーカー装置１００がケース８００ｇ内に搭載され、例えば受信部８００ｃａ及び着信部８００ｅに対応する位置に各々設けられる。
【００８４】
また、図１１に示されるような、携帯電話機９００の側面側にスピーカー装置１００等を設けることも可能である。
【００８５】
なお、本発明では、このような携帯電話機以外にも、各種の携帯機器に対して本発明のスピーカー装置を好適に適用することできる。本発明のスピーカー装置は薄型化及び小型化が図られているため、かかるスピーカー装置を、このような携帯電話機に代表される携帯機器に用いることにより、当該携帯機器の薄型化及び小型化に寄与し得る。
【図面の簡単な説明】
【００８６】
【図１】本発明の第１実施例に係るスピーカー装置の正面図、背面図及び側面図。
【図２】第１実施例に係るスピーカー装置の中心軸を通る位置で切断した断面図。
【図３】第１実施例に係るスピーカー装置のスペーサを含む位置で切断した断面図。
【図４】第２及び第３実施例に係るスピーカー装置のスペーサを含む位置で切断した断面図。
【図５】変形例１に係るスピーカー装置のスペーサを含む位置で切断した断面図。
【図６】変形例２に係るスピーカー装置の背面図及びその要素である補強部材の斜視図。
【図７】変形例２及び３のスピーカー装置の補強部材を含む位置で切断した断面図。
【図８】その他の変形例に係るスピーカー装置の正面図、背面図及び側面図。
【図９】その他の変形例に係るスピーカー装置の中心軸を通る位置で切断した断面図。
【図１０】本発明のスピーカー装置を用いた携帯電話機の平面図。
【図１１】本発明のスピーカー装置を用いた他の携帯電話機の平面図。
【符号の説明】
【００８７】
１ａ、１ｂ  第１のプレート
２ａ、２ｂ  マグネット
３ａ、３ｂ  第２のプレート
４  フレーム
４ａ  スペーサ
４ｓ  側面
５  振動板
６  ボイスコイル
７  補強部材
７ａ  開口
３０、３０ｘ  磁気回路
３１  振動系部材
７０ａ  第１の磁気ギャップ
７０ｂ  第２の磁気ギャップ
１００、２００、３００、４００、５００、６００、７００  スピーカー装置
８００、９００  携帯電話機
【図１】
2008092260.tif 000003
【図２】
2008092260.tif 000004
【図３】
2008092260.tif 000005
【図４】
2008092260.tif 000006
【図５】
2008092260.tif 000007
【図６】
2008092260.tif 000008
【図７】
2008092260.tif 000009
【図８】
2008092260.tif 000010
【図９】
2008092260.tif 000011
【図１０】
2008092260.tif 000012
【図１１】
2008092260.tif 000013